(57)【要約】【課題】電子機器において、電池蓋にスライド方向に強い力が加わっても電池蓋が開状態にならないようにする。【解決手段】カメラ（電子機器）の筐体２の下面には、電池蓋１０が設けられている。電池蓋１０は、電池９０が収納される収納部３を覆うように、筐体２に対し、筐体２の底面に沿ってスライド可能に設けられている。電池蓋１０と筐体２には、それぞれ噛合爪１１及び噛合部８が設けられており、それらが互いに噛み合うことにより、電池蓋１０が筐体２に固定される。噛合爪１１の噛合部８に面する部位には、略テーパ形状の係合突起１２が形成されている。噛合部８の噛合爪１１に面する部位には、係合突起１２に対応する位置に、係合突起１２が埋入可能な係合溝９が形成されている。噛合爪１１と噛合部８が互いに噛み合う状態で、係合突起１２が係合溝９に係合するので、電池蓋１０にスライドさせる力が加わっても、電池蓋１０がスライドしにくい。【選択図】図３
2009070608.tif 000002
【特許請求の範囲】
【請求項１】
筐体と、
前記筐体内部に設けられ、電源となる電池が収納される収納部と、
前記筐体に、前記収納部に収納された電池を覆うように、前記筐体の表面に沿ってスライド可能に取り付けられた電池蓋とを備え、
前記筐体及び前記電池蓋は、それぞれ前記スライド方向に互いに差し込み、噛み合い可能な第１噛合部と第２噛合部を有し、この第２噛合部が前記第１噛合部に噛み合うことにより、前記筐体の表面に略直交する方向に外れないように前記筐体に固定されている電子機器において、
前記第１噛合部と前記第２噛合部との互いに向き合う面の一部には、それぞれ、前記電池蓋が前記筐体に固定された状態で互いに係合可能な係合突起及び係合溝のうち一方と他方とが形成されており、
前記係合突起と係合溝とが係合した状態から、前記係合突起が係合溝から離れる方向に前記電池蓋を変位させ、前記係合を解除することにより、前記電池蓋をスライドさせることが可能になるように構成されていることを特徴とする電子機器。
【請求項２】
前記電池蓋は、前記筐体に固定された状態で、前記収納部に収納された電池に当接するように構成されており、
前記収納部内部には、前記電池蓋が前記筐体に固定された状態で、前記収納部に収納された電池を前記電池蓋に向け付勢しつつ、その電池の接点に接触する端子部が配置されており、
前記係合突起又は係合溝は、前記第１噛合部のうち、前記端子部による前記電池の付勢方向に対向する面の一部に形成されていることを特徴とする請求項１記載の電子機器。
【請求項３】
前記電池蓋は、その端縁部近傍の一部に配置された回動軸を中心に回動可能に、前記筐体に対し軸支されており、
前記第２噛合部は、前記電池蓋のうち前記回動軸から離れた端縁部近傍に設けられており、
前記筐体に固定された状態から、前記電池蓋をスライドさせて前記第１噛合部への前記第２噛合部の噛み合いを解除し、前記電池蓋を前記回動軸を中心に回動させることにより、前記収納部を開状態にし、前記電池を前記収納部から抜脱可能に構成されていることを特徴とする請求項２記載の電子機器。
【発明の詳細な説明】
【技術分野】
【０００１】
本発明は、筐体に対しスライドされ、筐体と電池蓋とに設けられた互いの噛合部を噛み合わせることにより筐体に固定される電池蓋を有する電子機器に関する。
【背景技術】
【０００２】
従来より、筐体内部に収納された電池を電源として動作する電子機器においては、筐体に取り付けられた電池蓋を筐体に対しスライドさせて電池蓋を開け、電池を取り外し可能に構成されているものがある。このような電子機器では、例えば電池蓋が筐体底面に設けられているとすると、電池蓋を略水平方向にスライドさせることにより筐体に形成された噛合部に電池蓋の噛合爪を噛み合わせ、電池蓋が下方に開かないように、電池蓋を筐体に固定することができる。ここで、例えば、特許文献１に示すように、電池蓋を閉めることにより、電池蓋に電池が当接し、ばね性を有するように形成され筐体内部の上面に設けられた電極に向けて電池が付勢されるように構成された電子機器では、電極が電池を押し戻す力により電池蓋が下方に付勢される。そのため、筐体の噛合部に、電池蓋から水平方向に突出した噛合爪を水平方向に差し込み噛み合わせるだけで、電池蓋を、噛合爪と噛合部との摩擦力によりスライドしにくいようにして、筐体に固定することができる。
【０００３】
ところで、このような電子機器において、電池蓋に水平方向に比較的強い力が加わると、噛合部と噛合爪との間の摩擦力があるにもかかわらず電池蓋がスライドしてしまい、ユーザの意図しないところで電池蓋が開いてしまうことがある。電池蓋が開くと、電池が筐体から脱落したり、電池が接点に確実に接触せず、電子機器を動作させることができなくなったりする。これに対し、例えば電池蓋に、電池蓋に対しスライドさせることができるラッチ機構等を設け、ラッチ機構をスライドさせたときに電池蓋をスライドさせることができるようにすると、電池蓋が不意にスライドしないようにすることができる。しかしながら、この場合、部品点数が多くなるため、電子機器の製造コストが高くなるという問題がある。
【０００４】
ここで、特許文献２には、係合突起に形成された突起を筐体内部の爪受け部に当接させ、電池蓋を筐体に対しがたつかないように取り付けた電池蓋の取り付け構造が開示されている。しかしながら、この構造は、電池蓋を取り外すとき、電池蓋を押して係合突起を撓ませなければならず、例えば電池交換を頻繁に行う必要がある電子機器には不向きである。また、突起と爪受け部との当接面が小さいので、電池蓋の着脱を繰り返した場合、この部位が摩耗することが考えられ、その場合、電池蓋が筐体から外れやすくなるおそれがある。
【０００５】
なお、特許文献３には、電池蓋の開閉に連動し電池の脱落を防止する脱落防止部材を設けた電子機器の構造が示されている。しかしながら、この構造は部品点数が多く複雑な物であり、製造コストが高くなるため、電子機器に広く適用することができない。
【特許文献１】特開平５‐１５９５５６号公報
【特許文献２】特開２００４‐３４２３３３号公報
【特許文献３】特開２００５‐２３５５７９号公報
【発明の開示】
【発明が解決しようとする課題】
【０００６】
本発明は、上記問題点を鑑みてなされたものであり、スライド方向に強い力が加わっても開状態になりにくく、繰り返し開閉可能な電池蓋を有する、製造コストが低い電子機器を提供することを目的とする。
【課題を解決するための手段】
【０００７】
上記目的を達成するため、請求項１の発明は、筐体と、前記筐体内部に設けられ、電源となる電池が収納される収納部と、前記筐体に、前記収納部に収納された電池を覆うように、前記筐体の表面に沿ってスライド可能に取り付けられた電池蓋とを備え、前記筐体及び前記電池蓋は、それぞれ前記スライド方向に互いに差し込み、噛み合い可能な第１噛合部と第２噛合部を有し、この第２噛合部が前記第１噛合部に噛み合うことにより、前記筐体の表面に略直交する方向に外れないように前記筐体に固定されている電子機器において、前記第１噛合部と前記第２噛合部との互いに向き合う面の一部には、それぞれ、前記電池蓋が前記筐体に固定された状態で互いに係合可能な係合突起及び係合溝のうち一方と他方とが形成されており、前記係合突起と係合溝とが係合した状態から、前記係合突起が係合溝から離れる方向に前記電池蓋を変位させ、前記係合を解除することにより、前記電池蓋をスライドさせることが可能になるように構成されているものである。
【０００８】
請求項２の発明は、請求項１の発明において、前記電池蓋は、前記筐体に固定された状態で、前記収納部に収納された電池に当接するように構成されており、前記収納部内部には、前記電池蓋が前記筐体に固定された状態で、前記収納部に収納された電池を前記電池蓋に向け付勢しつつ、その電池の接点に接触する端子部が配置されており、前記係合突起又は係合溝は、前記第１噛合部のうち、前記端子部による前記電池の付勢方向に対向する面の一部に形成されているものである。
【０００９】
請求項３の発明は、請求項２の発明において、前記電池蓋は、その端縁部近傍の一部に配置された回動軸を中心に回動可能に、前記筐体に対し軸支されており、前記第２噛合部は、前記電池蓋のうち前記回動軸から離れた端縁部近傍に設けられており、前記筐体に固定された状態から、前記電池蓋をスライドさせて前記第１噛合部への前記第２噛合部の噛み合いを解除し、前記電池蓋を前記回動軸を中心に回動させることにより、前記収納部を開状態にし、前記電池を前記収納部から抜脱可能に構成されているものである。
【発明の効果】
【００１０】
請求項１の発明によれば、電池蓋が筐体に固定された状態で、第２噛合部と第１噛合部との間で係合突起と係合溝とが係合するので、電池蓋が固定された状態からスライドしにくくなる。従って、意図せずに、電池蓋がスライドして電池蓋が開くことを防止することができる。部品点数を増やさなくとも電池蓋を確実に固定することができ、電子機器の製造コストを低減することができる。
【００１１】
請求項２の発明によれば、端子部により付勢される電池が電池蓋に当接することにより、係合突起と係合溝との互いの係合が解除されにくくなるので、より確実に、電池蓋が意図せず開状態になることを防止することができる。電池蓋を、電池が付勢される方向とは反対方向に押し込み、係合突起と係合溝との係合を解除することにより、電池蓋をスライドさせることができるので、容易な操作により、電池蓋を開状態にすることができる。
【００１２】
請求項３の発明によれば、電池蓋が筐体に対し軸支されており、電池蓋を開いたときに電池蓋が筐体と分離しないので、電池蓋を開状態から回動及びスライドさせ、筐体２に確実に固定することを、より容易に繰り返し行うことができる。
【発明を実施するための最良の形態】
【００１３】
以下、本発明の一実施形態について図面を参照して説明する。図１及び図２は、本実施形態に係る電子機器の一例としてカメラを示す。カメラ１は、例えば、レンズを駆動したりフィルムを巻き上げたりする動作等を、モータ等を駆動することにより自動的に行うように構成されている。カメラ１の筐体２の底面には、電池蓋１０が設けられている。図２に示すように、筐体２のうち、電池蓋１０が設けられている部位の内部には、カメラ１の電源となる電池９０が収納される収納部３が設けられており、電池９０は、電池蓋１０に覆われるようにして収納部３に収納されている。収納部３の内部には、電池９０の接点に接触するように配置された端子部４が設けられている。本実施形態において、端子部４は、例えば板ばね形状に形成されている。電池蓋１０が筐体２に固定された状態では、電池蓋１０の内面が、収納部３に収納された電池９０に当接し、且つ、端子部４が、自然状態より若干変形するように構成されている。すなわち、電池蓋１０が固定された状態では、電池９０は、図の矢印で示すように、端子部４により電池蓋１０に向け付勢されている。そして、その力は、電池９０に当接している電池蓋１０にも加えられている。このように、端子部４が電池９０を付勢するように構成されているので、各部材に若干の寸法誤差があったり、カメラ１に振動が加わる等しても、端子部４の電池９０の接点への接続が確実に維持され、確実に電池９０からカメラ１本体への電源供給がなされる。
【００１４】
図３（ａ），（ｂ）は、カメラ１の電池蓋１０を示す。以下、カメラ１の電池蓋１０が設けられている部位については、上下方向を逆にして図示する。本実施形態において、電池蓋１０は、カメラ１の底面の側部近傍部位に設けられている。電池蓋１０の側縁部のうちカメラ１の中央部側の部位には、電池蓋１０を前後方向に貫通するようにシャフト６が配されている。シャフト６は、筐体２に略水平方向が長手方向となるように形成された長穴部（図４に図示）２ａに両端部が軸支されて、図３（ａ）に矢印Ｓで示すように、筐体２に対し長穴の長手方向に沿って摺動可能に取り付けられている。すなわち、電池蓋１０は、シャフト６を回動軸として筐体２に対し回動可能に、且つ、筐体２の底面に沿ってスライド可能に取り付けられている。
【００１５】
ここで、電池蓋１０の側縁部のうち、カメラ１の側部近傍部位であり回動軸となるシャフト６から離れた部位には、図に示すように、電池蓋１０がスライド可能な略水平方向に、カメラ１の中央部側に向けて突出する噛合爪（第２噛合部）１１が形成されている。筐体２の噛合爪１１に対応する部位には、電池蓋１０が筐体２に固定された状態で、噛合爪１１の上面の上方に先端部が位置するように、断面鉤形状に収納部３の側縁部近傍からカメラ１の下方（図３（ａ）において上方）に突出する噛合部（第１噛合部）８が形成されている。図に示すように、電池蓋１０は、噛合部８の先端部の上方に噛合爪１１が位置するように、噛合爪１１が略水平方向に噛合部８に差し込み噛み合わされた状態で、電池蓋１０が筐体２の底面に略直交する下方に変位しないようにして、筐体２に固定される。
【００１６】
図３（ｂ）に示すように、本実施形態において、噛合爪１１と噛合部８との互いに向き合う面、すなわち噛合爪１１の下面と噛合部８の上面との一部には、それぞれ、係合突起１２と係合溝９とが形成されている。係合突起１２は、例えば、噛合爪１１の噛合部８に向き合う下面から、噛合部８に向けて下方に突出するように形成されている。係合突起１２は、噛合部８への噛合方向の反対側、すなわち筐体２の側方に向けて、徐々に高さが高くなるテーパ形状に形成されている。係合溝９は、例えば、係合突起１２が埋入可能な深さに、噛合部８のうち、端子部４による電池９０の付勢方向に対向し噛合爪１１に向き合う上面の一部に、下方に凹むような形状に形成されている。係合溝９は、噛合爪１１が噛合部８に噛み合わされた状態で、係合突起１２に面するような位置に設けられている。従って、噛合爪１１が噛合部８に噛み合わされ、電池蓋１０が筐体２に固定されているときには、電池蓋１０が電池９０に付勢されることにより、係合突起１２が係合溝９に埋入して係合し、噛合爪１１の下面と噛合部８の上面とが互いに当接した状態で保持される。
【００１７】
図４及び図５は、筐体２に固定された状態から筐体２の側方に向けスライドさせた電池蓋１０を示す。また、図６（ａ）、（ｂ）は、電池蓋１０をスライドさせるときの噛合爪１１及び噛合部８を示す。カメラ１において、電池９０の交換時には、電池蓋１０は、図４に示すようにカメラ１の側方に向けスライドされて噛合爪１１が噛合部８から引き抜かれた後、シャフト６を中心に下方に回動される。ここで、電池蓋１０が筐体２に固定されているときには、係合突起１２が係合溝９に埋入して係合しているので、その状態でそのまま電池蓋１０にスライドさせる力を加えても、電池蓋１０がスライドしにくい。本実施形態においては、特に、係合突起１２はスライドさせる方向に向け噛合爪１１の下面からの突出高さが高くなるテーパ形状であるので、電池蓋１０にスライドさせる力が加わったとき、係合突起１２が広い面積で係合溝９に当接し、より電池蓋１０がスライドしにくい。そのため、電池蓋１０をスライドさせるときには、図６（ａ）に示すように、先ず、端子部４を撓ませて電池９０を収納部３の奥に押し込むように、電池蓋１０に矢印Ｐで示すように力を加え、電池蓋１０を上方に変位させる。これにより、噛合爪１１が噛合部８から上方に離れると共に、係合突起１２が係合溝９から抜け、係合突起１２と係合溝９との係合が解除される。そして、図６（ｂ）に示すように、係合突起１２と係合溝９との係合を解除した状態で、矢印Ｓで示すように筐体２の底面に略平行に、電池蓋１０をスライドさせる力を電池蓋１０に加えることにより、電池蓋１０をカメラ１の側方にスライドさせ、噛合部８への噛合爪１１の噛み合わせを解除し、電池蓋１０を下方に回動可能にすることができる。
【００１８】
図７及び図８（ａ）、（ｂ）は、筐体２に対し下方に回動された状態の電池蓋１０を示す。上述のように電池蓋１０をカメラ１の側方にスライドさせると、ユーザは、電池蓋１０をシャフト６を中心に下方に回動させることが可能になる。電池蓋１０は、例えば、筐体２に固定された状態から１２０度程度だけ下方に回動させることができるように取り付けられている。電池蓋１０を回動させることにより、収納部３を筐体２の外部に露出させ、収納部３に電池９０を抜脱・装填することができる。
【００１９】
このように、本実施形態においては、電池蓋１０が筐体２に固定された状態で、噛合爪１１と噛合部８との間で係合突起１２と係合溝９とが係合するので、電池蓋１０が固定された状態からスライドしにくくなる。従って、ユーザの意図なしに、電池蓋１０がスライドして電池蓋１０が開くことを防止することができる。部品点数を増やさなくとも電池蓋１０を確実に筐体２に固定することができ、カメラ１の製造コストを低減することができる。
【００２０】
また、端子部４により付勢される電池９０が電池蓋１０に当接することにより、係合突起１２と係合溝９との互いの係合が解除されにくいので、より確実に、電池蓋１０がユーザの意図なしに開状態になることを防止することができる。さらにまた、電池蓋１０を、電池９０が付勢される方向とは反対方向に押し込む容易な操作により、電池蓋１０をスライドさせて開状態にすることができる。電池蓋１０は、筐体２に対し軸支されており筐体２と分離しないので、より容易に、電池蓋１０の開閉を繰り返し行うことができる。
【００２１】
なお、本発明は上記実施形態の構成に限定されるものではなく、発明の趣旨を変更しない範囲で適宜に種々の変形が可能である。図９は、上記実施形態の一変形例として、収納部３の内部に端子部４が設けられ、電池蓋１０に別の端子部３４が設けられたカメラ３１を示す。カメラ３１において、いわゆる乾電池が電池９１として端子部４，３４に接触するように収納部３に収納されている。このように、電池蓋１０側に設けられた端子部３４が撓むことによって、電池蓋１０が下方に付勢されるように構成されていてもよい。
【００２２】
また、電池蓋は、筐体に軸支されておらず、筐体から完全に取り外し可能に設けられていてもよい。さらにまた、例えば、上記実施形態とは逆に、電池蓋側に係合溝が形成されており、筐体側に係合突起が形成されていてもよい。本発明は、カメラに限り適用可能なものではなく、同様な構成の電池蓋を有する電子機器に広く適用可能である。
【図面の簡単な説明】
【００２３】
【図１】本発明の一実施形態に係るカメラの一例を示す斜視図。
【図２】上記カメラの収納部を示す正面図。
【図３】（ａ）は上記カメラの電池蓋を示す側断面図、（ｂ）は同電池蓋の係合突起が設けられている部位を示す側断面図。
【図４】上記電池蓋を筐体に対しスライドさせた状態における上記カメラを示す斜視図。
【図５】筐体に対しスライドさせた状態における上記電池蓋を示す側断面図。
【図６】（ａ）は同電池蓋をスライドさせる時の係合突起が設けられている部位を示す側断面図、（ｂ）は同電池蓋をスライドさせた後の係合突起が設けられている部位を示す側断面図。
【図７】上記電池蓋を筐体に対し回動させ開状態にした状態における上記カメラを示す斜視図。
【図８】（ａ）は筐体に対しスライドさせた状態における電池蓋を示す側断面図、（ｂ）は同電池蓋の係合突起が設けられている部位を示す側断面図。
【図９】上記実施形態の一変形例に係るカメラの収納部を示す正面図。
【符号の説明】
【００２４】
１，３１  カメラ（電子機器）
２  筐体
３  収納部
４，３４  端子部
６  シャフト（回動軸）
８  噛合部（第１噛合部）
９  係合部
１０  電池蓋
１１  噛合爪（第２噛合部）
１２  係合突起
９０，９１  電池
【図１】
2009070608.tif 000003
【図２】
2009070608.tif 000004
【図３】
2009070608.tif 000005
【図４】
2009070608.tif 000006
【図５】
2009070608.tif 000007
【図６】
2009070608.tif 000008
【図７】
2009070608.tif 000009
【図８】
2009070608.tif 000010
【図９】
2009070608.tif 000011